(57)【要約】      （修正有）【課題】車輪走行時に、肩ベルトの垂れ下がりを防止することができるキャリーバッグを提供する。【解決手段】キャリーバッグは、バーハンドル２０を上方に、車輪を下方に配置させた車輪走行状態におけるバッグ本体の上面側と底面側に肩掛け用の肩ベルト３０が両端を取り付けて構成する。肩ベルト３０のベルト本体３２を挿通させるように形成される肩当て４０が、環状に形成される被保持部３５を備える一方、バッグ本体の上面側に、前記被保持部３５に閂状に挿通されて不使用時の前記肩ベルト３０を保持する保持ストラップ２５を配置する。【選択図】図７
0003166587.tif 000002
【実用新案登録請求の範囲】
【請求項１】
車輪と、必要時に引き出し可能なバーハンドルと、を備えて車輪走行可能に構成されるバッグ本体と、
前記バーハンドルを上方に、前記車輪を下方に配置させた車輪走行状態における前記バッグ本体の上面側と底面側に両端を取り付けられる肩掛け用の肩ベルトと、
を備えるキャリーバッグにおいて、
前記肩ベルトが、環状に形成される被保持部を備え、
車輪走行状態における前記バッグ本体の上面側に、前記被保持部に閂状に挿通されて不使用時の前記肩ベルトを保持する保持ストラップが配置される
ことを特徴とする肩ベルト付きキャリーバッグ。
【請求項２】
前記肩ベルトが、肩掛け時の肩への負担を軽減するための肩当てを備え、
前記肩当ての上面に、前記肩ベルトの長さ方向に延びる帯状部材が、長さ方向における両端において連結されて、前記被保持部が形成される
ことを特徴とする、請求項１に記載の肩ベルト付きキャリーバッグ。
【請求項３】
前記肩当てが、前記肩ベルトのベルト本体と別体として、前記ベルト本体を挿通させるように形成されることを特徴とする、請求項２に記載の肩ベルト付きキャリーバッグ。
【請求項４】
前記肩当てが、クッション性を有するように形成されるパッド部と、パッド部と略同幅のシート状部材とを幅方向の両端において連結して、前記パッド部と前記シート状部材の間に前記ベルト本体を挿通させるように構成され、
前記帯状部材が、前記シート状部材と略同じ長さに形成されて前記シート状部材の上面の略全域を覆うように配置され、前記シート状部材と前記帯状部材とが、環状をなすように長さ方向の両端において連結されることで前記被保持部が形成される
ことを特徴とする、請求項３に記載の肩ベルト付きキャリーバッグ。
【請求項５】
前記保持ストラップが、その周囲における、前記バッグ本体の外周壁と同色の素材により形成されて、車輪走行状態の前記バッグ本体の上面側に設けられた手提げ用の持ち手の真下に、前記持ち手の長さ方向に沿って配置されることを特徴とする、請求項１乃至請求項４のいずれかに記載する肩ベルト付きキャリーバッグ。
【考案の詳細な説明】
【技術分野】
【０００１】
本考案は、車輪と引き出し式のバーハンドルとを備えて車輪走行可能に構成されるバッグ本体の、車輪走行状態における上面側と底面側に、肩掛け用の肩ベルトが両端を取り付けられる構成のキャリーバッグに関する。
【背景技術】
【０００２】
車輪と、バッグ本体から必要時に引き出し可能に内蔵されるバーハンドルとを備え、バーハンドルを把持して、バッグを押すか引くかして車輪走行可能に構成されるキャリーバッグは、重い荷物の運搬時に運搬の労力を軽減してくれるため便利である。近年種々のタイプの鞄に車輪とバーハンドルが取り付けられて車輪走行可能としているが、その中の一つとして、特許文献１は、一般にボストンバッグ型キャリーバッグと呼ばれるものを開示する。この型のキャリーバッグは、略直方体のバッグ本体を横長にした姿勢における上端側に一対の把手と肩ベルトを備えて、荷物が軽い場合には手提げあるいは肩掛けにし、荷物が重くなった場合等には、バッグ本体を９０°回転させて縦長姿勢とし、その状態における上面側に配置された引き出し式のバーハンドルと、底面側に配置された車輪とで、車輪走行可能とするものである。
【先行技術文献】
【特許文献】
【０００３】
【特許文献１】特開平８−２８０４３１号公報
【考案の概要】
【考案が解決しようとする課題】
【０００４】
この種のキャリーバッグでは、肩掛け用の肩ベルトが車輪走行状態における上面側と底面側とに両端を取り付けられるため、車輪走行する際に肩ベルトがバッグ本体に装着されたままだと、垂れ下がって、地面と接して汚れたり、車輪で肩ベルトを踏んでしまうことがある。この問題に対処するため、特許文献１では、車輪走行時に肩ベルトをバッグ本体から外して収納するためのポケットを、バッグ本体の外側面に設ける提案がなされている。
【０００５】
しかし、移動中に肩ベルトを装着したり外したりという作業を行うというのは煩わしく、現実的でない。
【０００６】
そこで本考案は、車輪走行をする際にも、バッグ本体に肩ベルトを装着したままで、肩ベルトの垂れ下がりを防止することができる肩ベルト付きキャリーバッグを提供することを目的とする。
【課題を解決するための手段】
【０００７】
本考案に係るキャリーバッグは、車輪と、必要時に引き出し可能なバーハンドルと、を備えて車輪走行可能に構成されるバッグ本体と、バーハンドルを上方に、車輪を下方に配置させた車輪走行状態におけるバッグ本体の上面側と底面側に両端を取り付けられる肩掛け用の肩ベルトと、を備えるキャリーバッグであって、肩ベルトが、環状に形成される被保持部を備える一方、車輪走行状態におけるバッグ本体の上面側に、被保持部に閂（かんぬき）状に挿通されて不使用時の肩ベルトを保持する保持ストラップが配置されることを特徴とする。
【０００８】
これによれば、肩ベルトを使用しない車輪走行時に、いちいち肩ベルトを外さず、バッグ本体に装着したままでも、環状の被保持部に閂状に挿通された保持ストラップが、車輪走行状態におけるバッグ本体の上面側に肩ベルトの被保持部を保持するため、肩ベルトが地面に垂れ下がるのを防止することができる。
【０００９】
上述のキャリーバッグでは、肩ベルトを、肩掛け時の肩への負担を軽減するための肩当てを備える構成とし、肩当ての上面に、肩ベルトの長さ方向に延びる帯状部材を、長さ方向における両端において連結して被保持部を形成することが望ましい。これによれば、帯状部材がある程度の幅を有するため、帯状部材によって被保持部を形成できるだけでなく、肩掛け時に使用者の肩の上面に位置することになる肩当ての上面に、ブランド名等のロゴ等を配するための格好の領域を配置させることができ、帯状部材の表面にロゴ等を配すれば、キャリーバッグの外観を向上させることができる。
【００１０】
この場合、肩当てを、肩ベルトのベルト本体とは別体として、ベルト本体を挿通させるように構成すれば、肩当てがベルト本体に対して遊動可能となるため、肩掛け時にはベルト本体の中央近傍に配置される肩当ての位置を、状況に応じて変えることができる。例えば、バッグ本体の大きさとの関係でベルト本体の長さが短い場合には、被保持部が保持ストラップの位置に届くように肩当てをずらしたり、肩ベルト本体の長さが長すぎる場合には、ベルト本体が確実に垂れ下がらないようにできる位置に肩当てをずらした上で保持ストラップに保持させたり、といったことが可能である。また、肩当てと肩ベルト本体を別体とすれば、肩当てをベルト本体に一体に設ける場合と比較して、簡易に、被保持部を備えた肩当て付きの肩ベルトを製造することができる。
【００１１】
また、肩ベルトのベルト本体と別体とする肩当ては、クッション性を有するように形成されるパッド部と、パッド部と略同幅のシート状部材とを幅方向の両端において連結して、パッド部とシート状部材の間にベルト本体を挿通させるように構成し、帯状部材を、シート状部材と略同じ長さに形成してシート状部材の上面の略全域を覆うように配置し、シート状部材と前記帯状部材とを、環状をなすように長さ方向の両端において連結することで被保持部を形成することが望ましい。これによれば、シート状部材に帯状部材を連結させたものを、パッド部と連結させれば、被保持部を備えた肩当てを容易に製造することができる。その上、帯状部材がシート状部材の上面の略全域を覆うようにされているため、被保持部が設けられていても、従来からある、パッド部とシート状部材がトンネル状に連結されて形成された肩当てに比べて外観上全く違和感が無く、意匠上好ましい。
【００１２】
また、保持ストラップは、その周囲における、バッグ本体の外周壁と同色の素材により形成され、車輪走行状態のバッグ本体の上面側に設けられた持ち手の真下に、持ち手の長さ方向に沿って配置することが望ましい。これによれば、手提げ時や肩掛け時等の不使用時にも、保持ストラップが周囲と同化し、また、持ち手の下に隠れて目立たないため、外観を低下させない。
【考案の効果】
【００１３】
本考案に係る肩ベルト付きキャリーバッグは、車輪走行をする際にも、バッグ本体に肩ベルトを装着したままで、肩ベルトの垂れ下がりを防止することができる。
【図面の簡単な説明】
【００１４】
【図１】本考案の一実施形態である肩ベルト付きキャリーバッグにおける、手提げあるいは肩掛け状態とした場合の斜視図である。
【図２】図１のキャリーバッグにおける、車輪走行可能とした状態の斜視図である。
【図３】図１のキャリーバッグの分解斜視図である。
【図４】図１のキャリーバッグの車輪走行状態における上面側の部分拡大斜視図である。
【図５】肩当ての斜視図である。
【図６】肩当ての長さ方向における断面図である。
【図７】図１のキャリーバッグにおける、肩ベルトの被保持部を保持ストラップに保持させた状態を示す部分拡大斜視図である。
【考案を実施するための形態】
【００１５】
以下に本考案の一実施形態を図面に基づいて説明する。
【００１６】
図１および図２に示す本考案の一実施形態である肩ベルト付きキャリーバッグＢは、バッグ本体１と、バッグ本体１に着脱可能に設けられる肩ベルト３０と、を備えるものである。
【００１７】
バッグ本体１は、本実施形態では可撓性を有する合成樹脂製生地等を縫製して略直方体のボストンバッグ形状に形成されるもので、印刷等によりブランド名等のロゴ５０があしらわれた前面部３、後面部５、上面部７、底面部９、右マチ部１１及び左マチ部１３からなる外周壁に囲まれる空間を主収容部とし、上面部７に配置されたファスナー７ａにより、開閉を行う構造としている。前面部３と後面部５との上端側には、手提げにする場合に使用される一対の把手３ａ，５ａが取り付けられている。底面部９には、図２に示すように、手提げ状態のバッグ本体１を地面に置いた際に、底面部９の表面が直に地面に接触することを防止する４個の底鋲（図符号省略）が配置されている。右マチ部１１と底面部９との角部には、必要時に引き出し可能なバーハンドル２０が配置され、左マチ部１３と底面部９との角部には、車輪走行時に使用される２個の車輪２２，２２が配置される。すなわち、略直方体のバッグ本体１を、図１に示す横長の手提げ姿勢から９０°回転させて図２に示すバーハンドル２０を引き出した車輪走行状態にすると、右マチ部１１が上面側１Ｕに配置され、左マチ部１３が底面側１Ｄに配置されることとなる。
【００１８】
図３に示すように、底面部９から、右マチ部１１と左マチ部１３との下端側にかけての領域におけるバッグ本体１の内周側には、合成樹脂製の硬質の底板１７が配置されており、バーハンドル２０と車輪２２，２２は、この底板１７に取り付けられている。具体的には、底板１７における左マチ部１３と底面部９の角部にあたる部位に、バッグ本体１の外周壁を構成する生地および車輪カバー１８を介して、２個の車輪２２，２２がネジ（図示せず）等により回転可動に取り付けられる一方、バーハンドル２０が、底板１７に予め成形された２本の凹溝１７ａ，１７ａ内に２本の棒体部２０ｂ，２０ｂを摺動可能に配置させ、バッグ本体１の外周壁を構成する生地およびハンドルカバー１９を介してグリップ部２０ａを左マチ部１１と底面部９の角部に露出させるように取り付けられている。
【００１９】
図２および図４に示すように、車輪走行状態において上面側１Ｕとなる右マチ部１１には、車輪走行時の姿勢のままバッグ本体１を持ち上げられるようにするための持ち手１５と、肩ベルト３０の不使用時に、肩ベルト３０の後述する被保持部３５に閂（かんぬき）状に挿通されて不使用時の肩ベルト３０を保持する保持ストラップ２５とが設けられている。実施形態の保持ストラップ２５は、バッグ本体１の外周壁と同色の同素材から帯状に形成され、第一端部２５ａを縫製により右マチ部１１に固定され、第二端部２５ｂは、第二端部２５ｂと右マチ部１１側とに取り付けられた一対の面ファスナー１１ａ、２５ｃにより右マチ部１１に対し着脱自在とする構成である。本実施形態では、保持ストラップ２５は、持ち手１５の真下に、持ち手１５の長さ方向に沿って、弛み無く配置されている。
【００２０】
図１に示すように、本実施形態の肩ベルト３０は、合成樹脂繊維を織成して形成した肩ベルト本体３２と、肩ベルト本体３２と別体に形成される肩当て４０とを備えて構成されるもので、任意の連結具を介して、両端を、左マチ部１１と右マチ部１３とにそれぞれ着脱可能に取り付けられている。
【００２１】
肩当て４０は、肩掛け時の肩への負担を軽減するためのもので、本実施形態では、肩ベルト本体３２とは別体として、肩ベルト本体３２を挿通させて、肩ベルト本体３２に対して遊動可能に構成されている。具体的には、図５および図６に示すように、肩ベルト本体３２より若干広幅の、肩ベルト本体３２の長さ方向に沿って長尺とした略長方形とし、クッション性を有した心材をバッグ本体１の外周壁と同素材の生地で被覆したパッド部４２と、パッド部４２と略同幅のシート状部材４４とを、幅方向における両端において縫合等により連結して、肩ベルト本体３２を挿通可能なトンネル状に形成されている。本実施形態では、シート状部材４４は、バッグ本体１の外周壁と同素材の生地を使用して、パッド部４２より長さの短い長方形に形成されている。
【００２２】
シート状部材４４の上面には、シート状の素材からなる、肩ベルト３０の長さ方向に沿って延び、パッド部４２やシート状部材４４より若干幅を狭くした帯状部材３６が、長さ方向の両端３６ａ，３６ｂをシート状部材４４に連結されて、シート状部材４４との間に、肩ベルト３０の長さ方向と直交方向に貫通する挿通孔４０ｂを形成するように配置されている。すなわち、図６に示すように、シート状部材４４と帯状部材３６とが、環状をなし、上述したバッグ本体１の保持ストラップ２５を挿通させて保持ストラップ２５に保持される被保持部３５を形成するように構成されている。実施形態の帯状部材３６は、バッグ本体１の外周壁と同素材により、シート状部材４４と略同じ長さに形成され、長さ方向における両端３６ａ，３６ｂでシート状部材４４の両端４４ａ，４４ｂをくるむように配置されて、その両端４４ａ，４４ｂと縫製等により連結されている。帯状部材３６の表面には、バッグ本体１の前面部３に配したのと同様のロゴ５０が、印刷等により配されている。
【００２３】
以上のように構成されたキャリーバッグＢを使用する際には、荷物が軽い場合には、バッグ本体１における把手３ａ，５ａを持って手提げにするか、肩ベルト３０を使用し、肩掛けにしてバッグ本体１を運搬する。
【００２４】
荷物が重くなった場合には、バッグ本体１におけるバーハンドル２０が配置された右マチ部１１が上方に、車輪２２，２２が配置された左マチ部１３が下方に配置されるようにバッグ本体１を９０°回転させて垂立させ、バーハンドル２０を引き出して車輪走行状態とする。この時、肩ベルト３０における肩当て４０を、バッグ本体１の上方に配置された右マチ部１１に近付け、保持ストラップ２５の、面ファスナー２５ｃによりバッグ本体１に仮固定されていた第二端部２５ｂを、バッグ本体１から分離し、図５の二点鎖線および図７に示すように、肩当て４０における、シート状部材４４と帯状部材３６とで環状に形成された被保持部３５に保持ストラップ２５を挿通させた後、再び面ファスナー２５ｃ、１１ａにより第二端部２５ｂをバッグ本体１に固定させる。すると、保持ストラップ２５が、閂状に被保持部３５の移動を規制して保持するため、肩ベルト３０の地面への垂れ下がりが防止される。
【００２５】
上述のように構成されたキャリーバッグＢは、肩ベルト３０が、シート状部材４４と帯状部材３６とで環状に形成された被保持部３５を備える一方、車輪走行状態におけるバッグ本体１の上面側１Ｕ（右マチ部１１）に、被保持部３５に閂状に挿通されて不使用時の肩ベルト３０を保持する保持ストラップ２５を備える。
【００２６】
これによれば、肩ベルト３０を使用しない車輪走行時に、いちいち肩ベルト３０を外さず、バッグ本体１に装着したままでも、環状の被保持部３５に閂状に挿通された保持ストラップ２５が、車輪走行状態におけるバッグ本体１の上面側１Ｕに被保持部３５を保持するため、肩ベルト３０が地面に垂れ下がるのを防止することができる。
【００２７】
実施形態のキャリーバッグＢでは、肩ベルト３０が、肩掛け時の肩への負担を軽減するための肩当て４０を備えて、肩当て４０の上面に、肩ベルト３０の長さ方向に延びる帯状部材３６が、長さ方向における両端３６ａ，３６ｂにおいて連結されて形成されることで、被保持部３５が形成されている。これによれば、帯状部材３６がある程度の幅を有するため、帯状部材３６によって被保持部３５を形成できるだけでなく、肩掛け時に使用者の肩の上面に位置することになる肩当て４０の上面に、ブランド名等のロゴ５０等を配するための格好の領域を配置することができ、帯状部材３６の表面にロゴ５０等を配すれば、キャリーバッグＢの外観を向上させることができる。
【００２８】
しかしながら、そのような点を考慮しなければ、肩ベルト３０が肩当てを備えない構成とし、肩ベルト本体自体に、保持ストラップ２５が挿通可能な環状の被保持部を設けることとしてもよいし、肩当てに、帯状でない、例えばひも状部材を連結して被保持部を設けることとしてもよい。
【００２９】
また、実施形態のキャリーバッグＢでは、被保持部３５を備えた肩当て４０が、肩ベルト本体３２とは別体として、肩ベルト本体３２を挿通させるように形成されている。これによれば、肩当て４０が肩ベルト本体３２に対して遊動可能となるため、肩掛け時には肩ベルト本体３２の中央近傍に配置される肩当て４０の位置を、状況に応じて変えることができる。例えば、バッグ本体１の大きさとの関係で肩ベルト本体３２の長さが短い場合には、被保持部３５が保持ストラップ２５の位置に届くように肩当て４０をずらしたり、肩ベルト本体３２の長さが長すぎる場合には、肩ベルト本体３２が確実に垂れ下がらないようにできる位置に肩当て４０をずらした上で保持ストラップ２５に保持させたり、といったことが可能である。また、肩当て４０と肩ベルト本体３２を別体とすれば、肩当てを肩ベルト本体３２に一体に設ける場合と比較して、簡易に、被保持部３５を備えた肩当て４０付きの肩ベルト３０を製造することができる。しかしながら、肩ベルト本体と一体に形成した肩当てに、帯状部材を連結させて被保持部としてもよく、その場合には、肩ベルト本体が肩当てに相対して遊動する余地がないため、被保持部の保持中に、肩ベルト本体が下がってくるということがない。
【００３０】
そして、実施形態では、肩当て４０は、クッション性を有するように形成されるパッド部４２と、パッド部４２と略同幅のシート状部材４４とを、幅方向における両端において連結して、パッド部４２とシート状部材４４の間に肩ベルト本体３２を挿通させるように構成されている。被保持部３５は、シート状部材４４と、シート状部材４４と略同じ長さに形成されてシート状部材４４の上面の略全域を覆うように配置される帯状部材３６とを、長さ方向の両端において環状をなすように連結することにより形成されている。これによれば、予めシート状部材４４に帯状部材３６を連結させたものを、パッド部４２と連結させれば、被保持部３５を備えた肩当て４０を容易に製造することができる。その上、帯状部材３６がシート状部材４４の上面の略全域を覆うようにされているため、被保持部３５が設けられていても、従来からある、パッド部とシート状部材がトンネル状に連結されて形成された肩当てに比べて外観上全く違和感が無く、意匠上好ましい。
【００３１】
また、実施形態のキャリーバッグＢでは、保持ストラップ２５が、その周囲の、バッグ本体１の右マチ部１１における外周壁と同色の素材により形成され、車輪走行状態のバッグ本体１の上面側１Ｕ（すなわち、右マチ部１１）に設けられた持ち手１５の真下に、持ち手１５の長さ方向に沿って配置されている。これによれば、手提げ時や肩掛け時等の不使用時にも、保持ストラップ２５が周囲と同化し、また、持ち手１５の下に隠れて目立たないため、外観を低下させない。
【００３２】
なお、本実施形態では、被保持部３５に閂状に挿通される保持ストラップ２５を、第一端部２５ａにおいてバッグ本体に固定され、第二端部２５ｂにおいて、面ファスナー２５ｃ、１１ａによりバッグ本体に対して着脱可能な構成としたが、保持ストラップの構成はこれに限られるものではなく、面ファスナーの代わりに、任意のスナップボタン等を利用して第二端部をバッグ本体１に対して着脱可能としてもよいし、保持ストラップ２５の中間部に任意のバックルを配置して、使用時に被保持部３５に挿通させる構成としてもよい。
【符号の説明】
【００３３】
１  ・・・  バッグ本体
１Ｕ  ・・・  上面側
１Ｄ  ・・・  底面側
１５  ・・・  持ち手
２０  ・・・  バーハンドル
２２  ・・・  車輪
２５  ・・・  保持ストラップ
３０  ・・・  肩ベルト
３２  ・・・  ベルト本体
３５  ・・・  被保持部
３６  ・・・  帯状部材
３６ａ，３６ｂ  ・・・  両端（帯状部材）
４０  ・・・  肩当て
４２  ・・・  パッド部
４４  ・・・  シート状部材
Ｂ  ・・・  キャリーバッグ
【図１】
0003166587.tif 000003
【図２】
0003166587.tif 000004
【図３】
0003166587.tif 000005
【図４】
0003166587.tif 000006
【図５】
0003166587.tif 000007
【図６】
0003166587.tif 000008
【図７】
0003166587.tif 000009